(57)【要約】【課題】  刈取部やフィーダ入り口部分及びその周辺の塵埃を効果的に集塵できる集塵機構を備えた普通型コンバインを提供する。【解決手段】  作物を刈り取る刈取部４を備え、刈り取ったものを脱穀装置に供給するフィーダ５を前記刈取部４の後方に備えた普通型コンバインにおいて、前記刈取部４の後面で、前記フィーダ５の前記刈取部側の端部の横側に隣接する箇所に、塵埃を吸入する吸入口８ａを備えた。【選択図】        図３
2005224180.tif 000002
【特許請求の範囲】
【請求項１】
作物を刈り取る刈取部を備え、刈り取ったものを脱穀装置に供給するフィーダを前記刈取部の後方に備えるとともに、
前記刈取部の後面において、前記フィーダの前記刈取部側の端部の横側に隣接する箇所に、塵埃を吸入する吸入口を備えてある普通型コンバイン。
【請求項２】
運転部を前記フィーダの右又は左の横外側に備えるとともに、この運転部が備えてある側とは反対のフィーダの横外側に前記吸入口を備えてある請求項１に記載の普通型コンバイン。
【請求項３】
作物を刈り取る刈取部を備え、塵埃を吸入する吸入部を、前記刈取部の後面の上端の左右に亘って備えてある普通型コンバイン。
【発明の詳細な説明】
【技術分野】
【０００１】
本発明は、作物を刈り取る刈取部を備え、刈り取ったものを脱穀装置に供給するフィーダを刈取部の後方に備えてある普通型コンバインに関する。
【背景技術】
【０００２】
この種の普通型コンバインでは、刈取作業をできるだけ効率的に行うため、作業者はコンバインの適正走行位置を維持するように、刈取部の側端部（通常、デバイダが装備されている部分）の通過位置に注目しながらコンバインを運転操作している。従来のコンバインでは、穀稈が刈取部で刈り取られる際、或いは、刈り取った穀稈がフィーダに供給される際に、刈取部周辺に塵埃が浮遊するようになっており、フィーダの入り口付近では浮遊する塵埃の発生が特に顕著であった。一方で、フィーダの入り口付近は、作業者の視点から刈取部の左右端部を目視する視線上に位置する場合があるため、大量に浮遊する塵埃により刈取部の側端部の正確な位置が認識できないといった問題があった。
このような問題に対しては、例えば、特許文献１に記載された構成により対策を施したものがある。すわなち、フィーダの上面において吸塵ファンを設けてフィーダ内部の空気を吸引することでフィーダ内の塵埃を吸引し、フィーダの左側下方に吸引した塵埃を排出するように構成されたものがある。
【特許文献１】特開２００２−３４５３２０号公報（図４）
【発明の開示】
【発明が解決しようとする課題】
【０００３】
ところが、上記特許文献１のような構成であると、塵埃が立ち込め易い刈取部やフィーダの入り口部分に対しては、吸引口が離れた位置になるので、吸引作用が直接的には作用しないことになり、吸引不足になりがちで、刈取部付近やフィーダの入り口付近での吸塵効果が弱いといった問題があった。
【０００４】
そこで、本発明は上記事情に鑑み、刈取部やフィーダ入り口部分及びその周辺の塵埃を効果的に集塵できる普通型コンバインを提供することを目的としている。
【課題を解決するための手段】
【０００５】
［Ｉ］
（構成）
本発明の第１特徴は、作物を刈り取る刈取部を備え、刈り取ったものを脱穀装置に供給するフィーダを刈取部の後方に備えてある普通型コンバインにおいて次のように構成することにある。
刈取部の後面において、フィーダの刈取部側の端部の横側に隣接する箇所に、塵埃を吸入する吸入口を備えてある。
【０００６】
（作用）
本発明の第１特徴によると、刈取部付近及びフィーダの入り口付近で多量に発生する塵埃に対して、近い位置において吸入口に向かう吸引作用が働く。したがって、発生した塵埃が周辺の空間に拡散する前で密度の高い状態において、塵埃を吸入口から吸入することができる。
【０００７】
（効果）
本発明の第１特徴によると、発生した塵埃が周辺の空間に拡散する前で密度の高い状態において、塵埃を吸入口から吸入することができるので、吸塵効果が向上するといった効果が期待できる。
【０００８】
［ＩＩ］
（構成）
本発明の第２特徴は、本発明の第１特徴において次のように構成することにある。
運転部をフィーダの右又は左の横外側に備えるとともに、この運転部が備えてある側とは反対のフィーダの横外側に吸入口を備えてある。
【０００９】
（作用）
本発明の第２特徴によると、本発明の第１特徴と同様に前項［Ｉ］に記載の「作用」を
備えており、これに加えて以下のような「作用」を備えている。
運転部が備えてある側とは反対のフィーダの横外側に浮遊する塵埃を集中的に吸引でき、フィーダに関して運転部と反対側にある刈取部の端部を運転部から臨む視界が良くなる。
【００１０】
（効果）
本発明の第２特徴によると、本発明の第１特徴と同様に前述の本発明の第１特徴の「発
明の効果」を備えており、この「発明の効果」に加えて以下のような「発明の効果」を備
えている。
本発明の第２特徴によると、フィーダに関して運転部と反対側にある刈取部の端部を運転部から臨む視界が良くなるので、刈取作業時の機体の適正走行位置を把握し易くなり、作業性が向上する。
【００１１】
［ＩＩＩ］
（構成）
本発明の第３特徴は、作物を刈り取る刈取部を備えてある普通型コンバインにおいて次のように構成することにある。
塵埃を吸入する吸入部を、刈取部の後面の上端の左右に亘って備えてある。
【００１２】
（作用）
本発明の第３特徴によると、刈取部の左右に亘る刈取幅に対応した広い範囲において塵埃の吸入作用が生じる。したがって、刈取部の左右に亘って刈取時に発生する多くの塵埃をそれぞれの発生箇所の後方において効果的に吸入できる。
【００１３】
（効果）
本発明の第３特徴によると、刈取部の左右に亘って刈取時に発生する多くの塵埃をそれぞれの発生箇所の後方において効果的に吸入できるので、吸塵効果が向上し、刈取部周辺の視認性が良くなるという効果が期待できる。
【発明を実施するための最良の形態】
【００１４】
以下、本発明の実施の形態を図面に基づいて説明する。
図１及び図２に普通形コンバインを示してあり、この普通形コンバインは、左右一対のクローラ走行装置１に支持させた走行機体２に脱穀装置３を搭載し、刈取部４と刈取り穀稈搬送用のフィーダ５とを一体に連結した状態で、フィーダ５の後端部を走行機体２に横軸芯Ｐ周りに揺動自在に支持させ、運転部７をフィーダ５の右外方に位置する状態に走行機体２に配備して構成してある。また、前記フィーダ５には、オーガー１３で寄せ集めた穀稈を脱穀装置３の扱胴（図示せず）の始端側に搬送する無端回動コンベア１４を搬送ケース１５内に設けてある。
【００１５】
前記刈取部４は、植立穀稈を引起こしながら機体後方に掻込むリール１０を、前処理フレーム１１から延出した支持アーム１６に支持させ、掻込まれた穀稈を刈り取るバリカン型の刈取装置１２を前処理フレーム１１に設け、刈り取った穀稈を刈り幅内の寄せ集め箇所にその両横側から寄せ集めるオーガー１３を前処理フレーム１１に設けて、左右の処理フレーム１１に亘って刈取部４の背面を形成する背面パネル８（本発明の後面に相当）を設けてある。
【００１６】
図３及び図４に示すように、背面パネル８において、フィーダ５と刈取部４との接続箇所の左外方箇所（運転部７とは反対側）に開口８ａ（本発明の吸入口に相当）を設け、この開口８ａはフィルタ９で覆われている。フィルタ９の後方に、取り付け位置周辺の空気を吸引して後下方に排出する排塵ファン６を設けてある。排塵ファン６は機体前後方向に回転軸芯を備えた回転羽根６ａ、回転羽根６ａの回転外周面及び背面を覆って、背面の下方位置に排出口６ｄを後方下方向きに設けたカバー６ｂ、カバー６ｂの後方に突設され、回転羽根６ａを回転駆動する駆動モータ６ｃで構成されている。カバー６ｂの前面は背面パネル８と機体前後方向で同じ位置になっている。すなわち、カバー６ｂの前面がフィルタ９となっている。
【００１７】
排塵ファン６は刈取作業時に発生する塵埃を発生直後に直接的に吸引し、刈取部４の後方に排出する。したがって、排塵ファン６の前方周辺に発生した塵埃は速やかに刈取部４の後方に移送され、刈取部４の左側端部周辺の塵埃が効果的に除去される。このとき、運転部７に搭乗して機体前方を注視するオペレータにとっては、刈取作業時に刈取部４の左側端部の認識が良好に行えることになる。もって、刈取高さの調節や、刈取作業時の機体の適正走行位置の把握がし易くなり、作業性が向上する。また、塵埃を発生直後に吸引し、刈取部４の周辺から除去できるので、刈取後の穀稈処理で穀粒が汚れるおそれが低減し、コンバインの品質向上が図られる。
【００１８】
吸塵ファン６は逆回転機能を有している。刈取作業の方向変更の際には刈取部４を上昇状態にし、走行機体２の走行方向を変更したのち、刈取部４を下降操作して、刈取作業を再開する。この刈取作業方向を変更する際に吸塵ファン６は逆回転を行うように構成されている。吸塵ファン６の前面にあるフィルタ９にはワラくずなどが吸着しやすく、刈取作業の継続と伴に吸塵効果が低下するおそれがあるので、適正な吸塵効果を得るために、フィルタ９に吸着したワラくずなどを取り除く必要がある。しかし、作業途中に作業を中断してワラくずなどの除去作業を行うと、作業効率が低下してしまう。
【００１９】
そこで、刈取作業が一時的に中断する刈取作業方向変更時に吸塵ファン６を逆回転させることで、フィルタ９に吸着しているワラくずなどを機体前方に向けて吹き飛ばすようにしてある。すなわち、刈取部４の昇降状態に応じて排塵ファン６の回転方向が切換設定される。このように構成することで、刈取作業方向変更後に刈取作業を再開するときには、フィルタ９には、それまでの刈取作業時に吸着したワラくずなどが、ほぼ取り除かれた状態になっており、排塵ファン６による適正な吸塵効果が得られることになる。
【００２０】
なお、背面パネル８において、フィーダ５と刈取部４との接続箇所の右外方箇所に、上述した構成と同様の構成をもつ吸塵ファン６を設けてもよい。また運転部７をフィーダ５の左外方に位置する状態に走行機体２に配備して構成してもよい。この場合、開口８ａ、フィルタ９及び排塵ファン６は、刈取部４の背面パネル８においてフィーダ５と刈取部４との接続箇所の右外方箇所、或るいは左右両外方箇所に設けることになる。
【００２１】
〔発明の実施の別形態〕  図５及び図６に示すように、背面パネル８の上端には、刈取部の左右に亘って角パイプ製の横フレーム１８が設けてあり、横フレーム１８の左右の両端には前処理フレーム１１が接続されている。横フレーム１８の上面には、刈取部４の左右に亘って、吸入部１７が併設してある。
【００２２】
吸入部１７は、塵埃を吸入するための気流を発生する吸塵ファン１７ｂと、一方の端部が閉じられ他方の端部の前処理フレーム１１より機体外側に吸塵ファン１７ｂを有する吸塵パイプ１７ｄとで構成されている。吸塵パイプ１７ｄには多数の吸塵口１７ａが設けられており、それぞれの吸塵口１７ａから塵埃を吸入するように構成されている。吸塵ファン１７ｂには後方下方向きの排出口１７ｃが設けられており、吸塵口１７ａから吸入された塵埃が吸塵パイプ１７ｄを介して吸塵ファン１７ｂまで移送され、排出口１７ｃから刈取部４の後方下方に排出される。
【００２３】
塵埃を吸入する吸入部１７は、刈取部４の後面すなわち背面パネル８の上端で左右に亘って備えてあるので、刈取部４の左右に亘る刈取幅に対応した広い範囲において塵埃の吸入作用が生じる。したがって、刈取時に刈取部４の左右に亘って発生する多くの塵埃をそれぞれの発生箇所の上後方において効果的に吸入できる。
【００２４】
なお、吸塵パイプ１７ｄは横フレーム１８で代用しても良い。すなわち、横フレーム１８の上面或いは前面に吸塵口１７ａを複数設けて構成しても良い。このように構成することで、部材の兼用が可能となり、構成の簡素化によるコストの削減が図られる。
【００２５】
また、〔発明を実施するための最良の形態〕における排塵ファン６により刈取部４の後方に排出される塵埃を、ダクトを介して脱穀装置３に移送するように構成してもよい。同様に〔発明の実施の別形態〕において、吸入部１７の排出口１７ｃから刈取部４の後方に排出される塵埃を、ダクトを介して脱穀装置３に移送するように構成してもよい。
【図面の簡単な説明】
【００２６】
【図１】普通型コンバインの前部の側面図
【図２】普通型コンバインの前部の平面図
【図３】刈取部後部の縦断側面図
【図４】刈取部の縦断正面図
【図５】発明の実施の別形態における刈取部後部の側面図
【図６】発明の実施の別形態における刈取部の縦断正面図
【符号の説明】
【００２７】
３    脱穀装置
４    刈取部
５    フィーダ
７    運転部
８    後面
８ａ  吸入口
１７  吸入部
【図１】
2005224180.tif 000003
【図２】
2005224180.tif 000004
【図３】
2005224180.tif 000005
【図４】
2005224180.tif 000006
【図５】
2005224180.tif 000007
【図６】
2005224180.tif 000008